(57)【要約】【課題】吸引手段を備えることなく肌にひだを形成してセルライトを解消することのできるセルライト解消器具を提供する。【解決手段】モータ９を備えた本体部１に、固定突起３と可動突起４とをそれぞれ肌に食い込ませることのできる高さで同一方向に突出させて備えるとともに、モータ９からの動力伝達により可動突起４を、固定突起３との間に肌が充分に入り込むだけの距離を隔てた位置から、前記位置よりも固定突起３側に近接して前記位置にて固定突起３との間に入り込んだ肌を挟み込んでひだを形成し皮下組織内のセルライトを接触摺動させる位置へと、移動させる動力伝達機構Ｍ１を備えて成るセルライト解消器具４０とする。【選択図】        図１
2004229762.tif 000002
【特許請求の範囲】
【請求項１】
駆動源を備えた本体部に、１個以上の固定突起と１個以上の可動突起とをそれぞれ肌に食い込ませることのできる高さで同一方向に突出させて備えるとともに、駆動源からの動力伝達により可動突起を、固定突起との間に肌が充分に入り込むだけの距離を隔てた位置から、前記位置よりも固定突起側に近接して前記位置にて固定突起との間に入り込んだ肌を挟み込んでひだを形成し皮下組織内のセルライトを接触摺動させる位置へと、移動させる動力伝達機構を備えていることを特徴とするセルライト解消器具。
【請求項２】
動力伝達機構が可動突起を直線上で往復動させるものであって、前記直線上の最も固定突起と距離を隔てた位置は、その位置にある可動突起と固定突起との間に肌が充分に入り込むだけの距離を隔てた位置であり、前記直線上の最も固定突起と近接した位置は、その位置にある可動突起と固定突起との間で入り込んだ肌を挟み込んでひだを形成し皮下組織内のセルライトを接触摺動させる位置であることを特徴とする請求項１記載のセルライト解消器具。
【請求項３】
動力伝達機構が可動突起を円周上で移動させるものであって、前記円周上の最も固定突起と距離を隔てた位置は、その位置にある可動突起と固定突起との間に肌が充分に入り込むだけの距離を隔てた位置であり、前記円周上の最も固定突起と近接した位置は、その位置にある可動突起と固定突起と間で入り込んだ肌を挟み込んでひだを形成し皮下組織内のセルライトを接触摺動させる位置であることを特徴とする請求項１記載のセルライト解消器具。
【請求項４】
固定突起と可動突起の少なくとも一方の突出方向位置を変更自在とする高さ調整機構を備えていることを特徴とする請求項１〜３のいずれか記載のセルライト解消器具。
【請求項５】
固定突起と可動突起の少なくとも一方の、少なくとも表面部分を、ゴムにより形成したことを特徴とする請求項１〜４のいずれか記載のセルライト解消器具。
【請求項６】
可動突起の移動方向と垂直であり且つ突出方向と垂直な方向の幅を、可動突起の移動方向と平行であり且つ突出方向と垂直な方向の幅よりも広く形成したことを特徴とする請求項１〜５のいずれか記載のセルライト解消器具。
【請求項７】
可動突起を、先細状に形成したことを特徴とする請求項１〜６のいずれか記載のセルライト解消器具。
【請求項８】
可動突起の表面を、先端側が根元側よりも小さな摩擦係数を有するように形成したことを特徴とする請求項１〜７のいずれか記載のセルライト解消器具。
【請求項９】
本体部に、把持部を突出させて備えたことを特徴とする請求項１〜８のいずれか記載のセルライト解消器具。
【請求項１０】
本体部に、防水構造を備えたことを特徴とする請求項１〜９のいずれか記載のセルライト解消器具。
【発明の詳細な説明】
【０００１】
【発明の属する技術分野】
本発明は、セルライトを手軽に且つ効果的に解消する為のセルライト解消器具に関する。
【０００２】
【従来の技術】
セルライトとは、皮下組織内にて通常は血管に隣接している脂肪細胞が血管から離れて浮遊し、この浮遊した脂肪細胞に老廃物が付着すると共にコラーゲンが巻き付いて巨大化した組織である。このセルライトは冷え性やむくみが原因となることから特に女性の体に生成され易く、また、一旦生成されてしまうと運動や食事制限だけでは容易に解消されない性質のものなので、肥満解消の為にはセルライト解消を目的とした特別の施療が必要である。
【０００３】
そこで、例えば図１３に示すようなセルライト解消器具８０が従来から提案されている（特許文献１参照）。このものは、下面中央の窪み８４内に真空ポンプ等を用いた吸引手段８３と一対のローラ８１，８２とを備えており、吸引手段８３により窪み８４内に吸い込んだ肌をローラ８１，８２により挟持してひだを形成し、この際に皮下組織内にあるセルライトの塊を接触摺動させてコラーゲンを破壊することで、セルライトを解消するようになっている。
【０００４】
しかしながら、上記した従来のセルライト解消器具は、真空ポンプ等を用いた吸引手段８３を具備する必要がある為に器具全体が巨大化及び高重量化していて使い勝手が悪いばかりでなく、吸引時に大きな騒音も発生して自宅で手軽に使用するには都合が悪いものであった。
【０００５】
【特許文献１】
仏国特許発明第２０５７５１４号明細書
【０００６】
【発明が解決しようとする課題】
本発明は上記の点に鑑みてなされたものであり、吸引手段を備えることなく肌に所望のひだを形成してセルライトを解消することのできるセルライト解消器具を提供することを、課題とするものである。
【０００７】
【課題を解決するための手段】
上記課題を解決するために本発明に係るセルライト解消器具を、駆動源を備えた本体部に、１個以上の固定突起と１個以上の可動突起とをそれぞれ肌に食い込ませることのできる高さで同一方向に突出させて備えるとともに、駆動源からの動力伝達により可動突起を、固定突起との間に肌が充分に入り込むだけの距離を隔てた位置から、前記位置よりも固定突起側に近接して前記位置にて固定突起との間に入り込んだ肌を挟み込んでひだを形成し皮下組織内のセルライトを接触摺動させる位置へと、移動させる動力伝達機構を備えていることを特徴としたものとする。
【０００８】
このようにすることで、真空ポンプ等から成る吸引手段を用いることなく可動突起と固定突起の間での肌の挟み込みにより皮下組織内のセルライトを接触摺動させてこれを解消することができ、器具全体が巨大化及び高重量化することがなく更に施療時に大きな騒音が発生することもないので、特に自宅で手軽に使用するには非常に都合の良いものとなる。
【０００９】
また、動力伝達機構が可動突起を直線上で往復動させるものであって、前記直線上の最も固定突起と距離を隔てた位置は、その位置にある可動突起と固定突起との間に肌が充分に入り込むだけの距離を隔てた位置であり、前記直線上の最も固定突起と近接した位置は、その位置にある可動突起と固定突起との間で入り込んだ肌を挟み込んでひだを形成し皮下組織内のセルライトを接触摺動させる位置であることを特徴とすることも好ましい。このようにすれば、動力伝達機構としては可動突起を直線上で往復動させる単純な構造のものでよく、器具全体のコンパクト化、軽量化、及び、低騒音化に寄与して使い勝手の良いものとなる。
【００１０】
また、動力伝達機構が可動突起を円周上で移動させるものであって、前記円周上の最も固定突起と距離を隔てた位置は、その位置にある可動突起と固定突起との間に肌が充分に入り込むだけの距離を隔てた位置であり、前記円周上の最も固定突起と近接した位置は、その位置にある可動突起と固定突起と間で入り込んだ肌を挟み込んでひだを形成し皮下組織内のセルライトを接触摺動させる位置であることを特徴とすることも好ましい。このようにすれば、動力伝達機構としては可動突起を円周上で移動させる単純な構造のものでよく、器具全体のコンパクト化、軽量化、及び、低騒音化に寄与して使い勝手の良いものとなる。
【００１１】
また、固定突起と可動突起の少なくとも一方の突出方向位置を変更自在とする高さ調整機構を備えていることも好ましく、このようにすれば、高さ調整機構により固定突起と可動突起との間の突出方向位置の関係を変更して、固定突起と可動突起との間で挟み込まれる肌の量を容易に調整することができる。
【００１２】
また、固定突起と可動突起の少なくとも一方の、少なくとも表面部分を、ゴムにより形成していることも好ましく、このようにすれば、使用者が肌に押し当てた時の感触を良好にするとともに、ゴムの滑り止め効果により挟み込んだ肌に効果的にひだを形成することができる。
【００１３】
また、可動突起の移動方向と垂直であり且つ突出方向と垂直な方向の幅を、可動突起の移動方向と平行であり且つ突出方向と垂直な方向の幅よりも広く形成することも好ましく、このようにすれば、可動突起と固定突起との間での挟み込みによりひだを形成して皮下組織内のセルライトを接触摺動させる範囲が広くなり、セルライトを高効率で解消することができるものとなる。
【００１４】
また、可動突起を先細状に形成することも好ましく、このようにすれば、肌に対して可動突起の先端部を食い込み易くすることができるとともに、可動突起の根元部での肌の挟み込み量を確保することができる。
【００１５】
また、可動突起の表面を先端側が根元側よりも小さな摩擦係数を有するように形成することも好ましく、このようにすれば、肌に対して可動突起の先端部を食い込み易くすることができるとともに、可動突起の根元部では挟み込んだ肌が逃げないように確保することができる。
【００１６】
また、本体部に把持部を突出させて備えることも好ましく、このようにすれば、把持部を片手で把持しながら固定突起や可動突起を所望部位の肌に押し当てておくことができるので、使用者にとっては使い勝手が良いものとなる。
【００１７】
また、本体部に防水構造を備えることも好ましく、このようにすれば、内部への浸水を防止して寿命を向上させることができる。
【００１８】
【発明の実施の形態】
以下、本発明を添付図面に示す実施の形態に基づいて説明する。図１〜図４には、本発明の実施の形態における一例のセルライト解消器具４０を示している。
本体部１のハウジング２の図中Ｚ方向（上方向）を向く上面２ａには、略円筒状であり且つその先端部が半球状となった固定突起３を上方に突出させて設けており、更にこの上面２ａには固定突起３と隣接して図中ＸＹ平面（水平面）上に矩形状の開口部７を設けている。開口部７内には、図中Ｙ方向においては開口部７よりも僅かに小さな幅であり図中Ｘ方向においては開口部７よりも所定長さだけ小さな幅である上面視矩形状の駆動片５が位置している。駆動片５のＹ方向を向く両側面には係合片６をそれぞれ突出させており、この係合片６が開口部７の内面においてＸ方向に一直線上に凹設した溝部８と係合して、駆動片５を開口部７内において上記所定長さだけＸ方向にスライド自在に支持している。なお、上記のＸＹＺ方向は、互いに直交する三方向である。
【００１９】
本体部２の内部には、駆動源であるモータ９と、モータ９に電力を供給する電池１０と、モータ９と電池１０とを接続させる陽極電線１０及び陰極電線１１とを配設している。モータ９からＺ方向に立設した回転出力部であるモータシャフト９ａは、偏心アーム１３の穴１４に圧入固定させており、偏心アーム１３の穴１４と距離Ｌだけ隔てた位置には偏心軸１６をＺ方向に立設させている。駆動軸１６の先端部は、駆動片５に設けたＹ方向に長尺の貫通穴１７内に、Ｙ方向に摺動自在となるように挿入している。
【００２０】
図４に示すように、貫通穴１７のＸ方向に伸びる短辺の長さをＡ、Ｙ方向に伸びる長辺の長さをＢとし、偏心軸１６の直径をＤとすると、モータ９の駆動により駆動片５がＸ方向に往復動する為の条件は下記の（１）式と（２）式である。
【００２１】
２Ｌ＋Ｄ＞Ａ≧Ｄ    ………（１）
Ｂ≧２Ｌ＋Ｄ        ………（２）
つまり、貫通穴１７の短辺の長さＡは偏心軸１６の直径Ｄ以上であることが必要であるが、穴１４の中心から偏心軸１６の中心までの距離Ｌの２倍の長さに偏心軸１６の直径Ｄを足し合わせた長さよりも小さくなければならない。また、貫通穴１７の長辺の長さＢは、穴１４の中心から偏心軸１６の中心までの距離Ｌの２倍の長さに、偏心軸１６の直径Ｄを足し合わせた長さ以上であることが必要である。
【００２２】
本例のセルライト解消器具４０においては、上記の（１）式と（２）式を共に満足しているので、電池１０の電力供給によりモータ９のモータシャフト９ａを回転させると、偏心アーム１３を介して駆動軸１６が円運動し、この円運動に伴い駆動軸１６が貫通穴１７内をＹ方向に摺動しながらＸ方向の変位のみを駆動片５に伝達するので、これにより駆動片５は開口部７内においてＸ方向に一直線上に往復動を行うものである。
【００２３】
駆動片５の上面５ａには、固定突起３と同様の形状を有する可動突起４を上方に突出させて設けており、駆動片５と一体にＸ方向に一直線上に往復動を行うようになっている。固定突起３と可動突起４は肌に食い込ませることのできる高さで同一方向に突出させたものであり、図３（ａ）のように駆動片５が固定突起３から最も離れた状態において、可動突起４は、固定突起３との間に肌（図示せず）が十分に入り込むだけの距離を隔てた位置Ｐ１となり、図３（ｂ）のように駆動片５が固定突起３に最も近接している状態において、可動突起４は、前記位置Ｐ１よりも固定突起３側に近接して前記位置Ｐ１にて固定突起３との間に入り込んでいた肌を挟み込んでひだを形成する位置Ｐ２となるように設定している。つまり、駆動片５や駆動軸１６や偏心アーム１３により、モータ９の動力（モータシャフト９ａの回転出力）を伝達して可動突起４を前記の位置Ｐ１から位置Ｐ２へと移動させる駆動伝達機構Ｍ１が形成されているものであり、位置Ｐ２で挟み込まれた肌においては、皮下組織内にあるセルライトの塊が接触摺動されて該セルライト内のコラーゲンが破壊され、これによりセルライトが解消されることとなる。
【００２４】
また、固定突起３が中心であって皮下組織内のセルライトを接触摺動させるのに適当な固定突起３と可動突起４との間の距離が半径である円Ｃを描くと、本例の可動突起４は円Ｃとその接線方向（図３中Ｔ方向）にて交差するように移動するものであり、これにより挟み込まれる肌に捻りが生じ、セルライトが更に効果的に接触摺動されるようになっている。
【００２５】
したがって、本例のセルライト解消器具４０を用い、固定突起３及び可動突起４を所望部位の肌に押し当てた状態でモータ９を稼動させると、モータ９の動力は駆動伝達機構Ｍ１により伝達されて可動突起４を一直線上に往復動させ、この際に可動突起４が固定突起３との間で肌を捩りながら挟み込んでセルライトの塊を連続的に摺動させるといった動作を連続して繰り返すものであり、これによりセルライトが解消されるようになっている。
【００２６】
なお、固定突起３と可動突起４は１個に限定されるものではなく、それぞれ複数個設けてあっても構わない。
【００２７】
図５には、本発明の実施の形態における他例のセルライト解消器具５０を示している。本体部２７のハウジング１８の図中上方を向く上面１８ａには、その外周縁近傍部分に略円筒状であり且つその先端部が半球状となった固定突起１９を上方に突出させて３個設けており、更に、これら固定突起１９に囲まれる内側部分を上面視円形状に凹設し、この凹設部分に略円板形状の回転板２１を回転自在に嵌合させて、上面１８ａと回転板２１とを略面一に設けている。
【００２８】
本体部２７の内部には、駆動源であるモータ２４と、モータ２４に電力を供給する電池２５と、モータ２４と電池２５とを接続させる一対の電線２６とを配設している。モータ２４の上方には、ハウジング１８に形成した軸受部２３を介して、回転軸２２が回転自在に支持している。この回転軸２２は、その上端２２ａを回転板２１の下面に接続させるとともに、その下端２２ｂをモータ２４から上方に立設した回転出力部であるモータシャフト２４ａに接続させたものであり、電池２５からの電力供給によりモータ２４のモータシャフト２４ａを回転させると、回転軸２２を介して回転板２１が回転駆動されるようになっている。なお、本体部２７の回転板２１と回転軸２２と軸受部２３とに囲まれる空所には防水パッキン３８を配設しており、これにより本体部２７は、ハウジング１８の上面１８ａ側から内部への浸水を防止した防水構造のものとなっている。
【００２９】
回転板２１の上面２１ａには、固定突起１９と同様の形状を有する可動突起２０を上方に突出させて３個設けており、回転板２１と一体に回転運動を行うようになっている。固定突起１９と可動突起２０は肌に食い込ませることのできる高さで同一方向に突出させたものであり、その突出方向に平行な回転軸２２を中心として可動突起２０は回転駆動されるものであるから、可動突起２０の回転に伴い該可動突起２０と固定突起１９との間の相対的な位置関係には連続的な変化が生じる。
【００３０】
３個ずつ設けた固定突起１９と可動突起２０のうち、１個の固定突起１９を特に固定突起１９ｓとし、１個の可動突起２０を特に可動突起２０ｓとして両者１９ｓ，２０ｓの位置関係について述べると、可動突起２０ｓが図６（ａ）に示す位置Ｐ３にある状態が両者１９ｓ，２０ｓの最も距離を隔てた状態であり、可動突起２０ｓが図６（ｂ）に示す位置Ｐ４にある状態が両者１９ｓ，２０ｓの最も近接した状態である。上記位置Ｐ３は、固定突起１９ｓとの間に肌が十分に入り込むだけの距離を隔てた位置に設定されたものであり、上記位置Ｐ４は、前記位置Ｐ３よりも固定突起１９ｓ側に近接して前記位置Ｐ３にて固定突起１９ｓとの間に入り込んでいた肌を挟み込んでひだを形成する位置に設定されたものである。つまり、回転板２１や回転軸２２により、モータ２４の動力（モータシャフト２４ａの回転出力）を伝達して可動突起２０ｓを前記の位置Ｐ３から位置Ｐ４へと移動させる駆動伝達機構Ｍ１´が形成されているものであり、位置Ｐ４で挟み込まれた肌においては、皮下組織内にあるセルライトの塊が接触摺動されて該セルライト内のコラーゲンが破壊され、これによりセルライトが解消されることとなる。
【００３１】
また、固定突起１９ｓが中心であって皮下組織内のセルライトを接触摺動させるのに適当な固定突起１９ｓと可動突起２０ｓとの間の距離を半径である円Ｃ´を描くと、可動突起２０ｓは円Ｃ´とその接線方向（図６中Ｔ´方向）にて交差するように移動するものであり、これにより肌の挟み込み時に捻りが生じ、セルライトが更に効果的に接触摺動されるようになっている。
【００３２】
したがって、本例のセルライト解消器具５０を用い、３個ずつ設けた固定突起１９と可動突起２０とを所望部位の肌に押し当てた状態でモータ２４を稼動させると、モータ２４の動力は駆動伝達機構Ｍ１´により伝達されて各可動突起２０を円周上で移動させ、各可動突起２０がそれぞれ各固定突起１９との間で、肌を捻りながら挟み込んでセルライトの塊を摺動させるといった動作を連続して繰り返すものであり、これによりセルライトが解消されるようになっている。
【００３３】
なお、固定突起１９と可動突起２０は３個ずつに限定されるものではなく、それぞれ１個以上設けてあればよいものである。
【００３４】
可動突起２０の形状としても、略円筒状に限定されるものではなく、例えば図７（ａ）に示すような上面視略楕円状として、可動突起２０の移動方向と垂直であり且つ突出方向と垂直な方向の幅Ｗ１が、可動突起２０の移動方向と平行であり且つ突出方向と垂直な方向の幅Ｗ２よりも広くなるように形成してもよい。この場合、固定突起１９との間での挟み込みによりひだを形成して皮下組織内のセルライトの塊を接触摺動させることのできる範囲が広くなり、セルライトの解消が高効率化されるという利点がある。
【００３５】
更に、可動突起２０の形状を図７（ｂ）に示すように先端部が薄く根元部が厚い先細状にしてもよい。この場合、肌に対して可動突起２０の先端部が食い込み易くなるとともに、可動突起２０の根元部では肌の挟み込み量が確保されるという利点がある。また、図７（ｃ）に示すように、可動突起２０の先端部表面は凹凸がないように設けるとともに根元部側表面には滑り止め凸部３６を設けて、可動突起２０の先端側表面が根元側表面よりも小さな摩擦係数を有するように形成してもよい。この場合、肌に対して可動突起２０の先端部が食い込み易くなるとともに、可動突起２０の根元部では挟み込んだ肌が逃げないように確保されるという利点がある。
【００３６】
また、図７（ａ）〜（ｃ）に示したような形状を既述した一例のセルライト解消器具４０に用いた場合にも、同様の効果が得られる。
【００３７】
図８には、本発明の実施の形態における更に他例のセルライト解消器具６０を示している。本例のセルライト解消器具６０の構成は、既述した他例のセルライト解消器具５０の構成と略同一であることから、一致する構成については同一符号を付して説明を省略し、主に本例の特徴的構成である高さ調整機構Ｍ２の構成について別符号を付して以下に述べる。
【００３８】
本例のセルライト解消器具６０においては、固定突起１９が立設される上面外周縁近傍部分を、ハウジング１８とは別体であり且つ回動及び上下動自在なハウジング可動部２８により構成しており、更に、このハウジング可動部２８と回転板２１との間にはケーシング部２９を配している。ケーシング部２９はその上面が回転板２１と面一であるとともに下方にはハウジング１８に固定される円筒部３１を延設したものである。円筒部３１の外周面には全周に亘り螺旋溝３３を凹設しており、ハウジング可動部２８から下方に延設して成る可動円筒部３０の内周面に設けた凸部３２を、ケーシング部２９の前記螺旋溝３３と螺合させている。
【００３９】
しかして、可動円筒部３０の中心軸を中心としてハウジング可動部２８を回動させた場合には、該ハウジング可動部２８は凸部３２と螺旋溝３３との螺合により規制されながら、その回動方向及び回動量に応じてハウジング１８に対して上下動を行う。即ち、本例においては、ハウジング可動部２８やケーシング部２９といった部材の付加により、ハウジング可動部２８の回動に応じて固定突起１９の突出方向位置を変更自在とする高さ調整機構Ｍ２を構成している。そして、本例のセルライト解消器具６０の固定突起１９と可動突起２０とを所望部位の肌に押し当て、固定突起１９と可動突起２０との間で肌を挟み込んでセルライトの塊を摺動させるに際して、上記高さ調整機構Ｍ２により固定突起１９の可動突起２０に対する突出高さを変更すれば、固定突起１９と可動突起２０との間で挟み込む肌の量を調整することができるものである。
【００４０】
ここで、固定突起１９の数は３個以上であることが望ましい。というのも、固定突起１９の高さ調整に応じて挟み込む肌の量が好適に調整されるには、固定突起１９の当接によって肌に対する本体部２７の位置決めが行われている必要があるからである。即ち、固定突起１９が１個の場合には該固定突起１９の高さ調整による挟み込む肌の量の調整は略不能であり、固定突起１９が２個の場合にも挟み込む肌の量の調整は余り効果的でない。固定突起１９が２個の場合に該固定突起１９の高さ調整による効果を最大限に発揮しようとすれば、２つの固定突起１９を可動突起２０の回転中心に対して点対称となる位置に配設して両固定突起１９間の距離を固定突起１９と可動突起２０の間の距離に対して大きく設定することが望ましいが、これと同様に固定突起１９が３個以上である場合にも、可動突起２０の回転中心を中心とした隣接する固定突起１９間の角度が全て等しくなるように、固定突起１９を配設することが望ましい。
【００４１】
なお、本例においては固定突起１９のみを高さ調整自在としているが、可動突起２０側について突出方向位置を変更自在としても良い。
【００４２】
図１０には、本例の固定突起１９を、本体部２７のハウジング可動部２８から上方に突設した突起棒３４と該突起棒３４の外面を被覆するゴム製の突起カバー３５とで形成した場合を示している。このようにして固定突起１９の少なくとも表面部分をゴムで形成することで、使用者が肌に押し当てた時の感触を良好にするとともに、ゴムの滑り止め効果により挟み込んだ肌に効果的にひだを形成することができる。また、同様の突起カバー等を用いて可動突起２０についても表面をゴムで形成することも好適であるし、更に、既述した一例や他例のセルライト解消器具４０，５０において同様の構成を備えることも好適である。
【００４３】
図１１、図１２には、本発明の実施の形態におけるまた更に他例のセルライト解消器具７０を示している。本例のセルライト解消器具７０の構成は、既述した更に他例のセルライト解消器具６０の構成と略同一であることから、一致する構成については同一符号を付して説明を省略し、本例の特徴的構成である把持部３７の構成ついてのみ以下に述べる。
【００４４】
本例のセルライト解消器具７０においては、ハウジング１８のモータや電池を収納してある下側部分３９に、略円筒状の把持部３７を延設させている。把持部３７は、固定突起１９や可動突起２０の突出方向を上方として斜め下方に延設したものであり、この把持部３７を片手で把持して固定突起１９や可動突起２０を所望部位の肌に押し当てた状態でモータ２４を駆動させることで、人体の多様な部位のセルライトを容易に且つ効果的に接触摺動させて解消することができるので、使用者にとっては使い勝手が良いものである。更に、把持部３７に電池２５等を内蔵させたり、外部から操作可能なスイッチ部（図示せず）を設けたりすることも好適である。また、本例の把持部３７と同様のものを既述した一例や他例のセルライト解消器具４０，５０に設けても良く、この場合は同様に使い勝手の良いものとなる。
【００４５】
そして、本発明の実施の形態における各例のセルライト解消器具４０，５０，６０，７０のいずれにおいても、真空ポンプ等から成る吸引手段を用いることなくセルライトを接触摺動させることができるようになっているので、器具全体が巨大化及び高重量化することがなく、且つ、施療時に大きな騒音が発生することもないので、自宅で手軽に使用するには非常に都合の良いものである。
【００４６】
【発明の効果】
上記のように請求項１記載の発明にあっては、真空ポンプ等から成る吸引手段を用いることなく可動突起と固定突起の間での肌の挟み込みにより皮下組織内のセルライトを接触摺動させてこれを解消することができ、器具全体が巨大化及び高重量化することがなく更に施療時に大きな騒音が発生することもないので、特に自宅等で手軽に使用することができるという効果がある。
【００４７】
また、請求項２記載の発明にあっては、請求項１記載の発明の効果に加えて、動力伝達機構としては可動突起を直線上で往復動させる単純な構造のものでよいので、器具全体のコンパクト化、軽量化、及び、低騒音化に寄与して使い勝手を向上させることができるという効果がある。
【００４８】
また、請求項３記載の発明にあっては、請求項１記載の発明の効果に加えて、動力伝達機構としては可動突起を円周上で移動させる単純な構造のものでよいので、器具全体のコンパクト化、軽量化、及び、低騒音化に寄与して使い勝手を向上させることができるという効果がある。
【００４９】
また、請求項４記載の発明にあっては、請求項１〜３のいずれか記載の発明の効果に加えて、高さ調整機構により固定突起と可動突起との間の突出方向位置の関係を変更して、固定突起と可動突起との間で挟み込まれる肌の量を容易に調整することができるという効果がある。
【００５０】
また、請求項５記載の発明にあっては、請求項１〜４のいずれか記載の発明の効果に加えて、使用者が肌に押し当てた時の感触を良好にするとともに、ゴムの滑り止め効果により挟み込んだ肌に効果的にひだを形成することができるという効果がある。
【００５１】
また、請求項６記載の発明にあっては、請求項１〜５のいずれか記載の発明の効果に加えて、可動突起と固定突起との間での挟み込みによりひだを形成して皮下組織内のセルライトを接触摺動させる範囲を広くとれて、セルライトを高効率で解消することができるという効果がある。
【００５２】
また、請求項７記載の発明にあっては、請求項１〜６のいずれか記載の発明の効果に加えて、という効果がある。
【００５３】
また、請求項８記載の発明にあっては、請求項１〜７のいずれか記載の発明の効果に加えて、肌に対して可動突起の先端部を食い込み易くすることができるとともに、可動突起の根元部では挟み込んだ肌が逃げないように確保することができるという効果がある。
【００５４】
また、請求項９記載の発明にあっては、請求項１〜８のいずれか記載の発明の効果に加えて、把持部を片手で把持しながら固定突起や可動突起を所望部位の肌に押し当てておくことができるので、使用者にとっての使い勝手が向上するという効果がある。
【００５５】
また、請求項１０記載の発明にあっては、請求項１〜９のいずれか記載の発明の効果に加えて、内部への浸水を防止して寿命を向上させることができるという効果がある。
【図面の簡単な説明】
【図１】本発明の実施の形態における一例のセルライト解消器具の概略斜視図である。
【図２】同上のセルライト解消器具の概略断面図である。
【図３】同上のセルライト解消器具における可動突起の移動範囲を示す説明図であり、（ａ）は固定突起から最も距離を隔てた状態、（ｂ）は固定突起に最も近接した状態である。
【図４】同上のセルライト解消器具の各寸法を示す説明図である。
【図５】本発明の実施の形態における他例のセルライト解消器具の概略断面図である。
【図６】同上のセルライト解消器具における或る可動突起の移動範囲を示す説明図であり、（ａ）は固定突起から最も距離を隔てた状態、（ｂ）は固定突起に最も近接した状態である。
【図７】同上のセルライト解消器具における可動突起の他形状を示す説明図であり、（ａ）は幅を変更した形状のもの、（ｂ）は先細状のもの、（ｃ）は滑り止め凸部を設けた形状のものである。
【図８】本発明の実施の形態における更に他例のセルライト解消器具の概略断面図である。
【図９】同上のセルライト解消器具における固定突起の位置関係を示す説明図である。
【図１０】同上のセルライト解消器具の固定突起に突起カバーを設けた場合を示す説明図である。
【図１１】本発明の実施の形態におけるまた更に他例のセルライト解消器具の概略断面図である。
【図１２】同上のセルライト解消器具の概略斜視図である。
【図１３】従来のセルライト解消器具を示す説明図である。
【符号の説明】
１  本体部
３  固定突起
４  可動突起
９  モータ
１９  固定突起
２０  可動突起
２４  モータ
２７  本体部
３５  突起カバー
３６  滑り止め凸部
３７  把持部
３８  防水パッキン
４０  一例のセルライト解消器具
５０  他例のセルライト解消器具
６０  更に他例のセルライト解消器具
７０  また更に他例のセルライト解消器具
Ｃ  円
Ｃ´  円
Ｍ１  駆動伝達機構
Ｍ１´  駆動伝達機構
Ｍ２  高さ調整機構
【図１】
2004229762.tif 000003
【図２】
2004229762.tif 000004
【図３】
2004229762.tif 000005
【図４】
2004229762.tif 000006
【図５】
2004229762.tif 000007
【図６】
2004229762.tif 000008
【図７】
2004229762.tif 000009
【図８】
2004229762.tif 000010
【図９】
2004229762.tif 000011
【図１０】
2004229762.tif 000012
【図１１】
2004229762.tif 000013
【図１２】
2004229762.tif 000014
【図１３】
2004229762.tif 000015